(57)【特許請求の範囲】
【請求項１】
紫外線発光源を内部に設けた枠体と、この枠体の外面を被覆する捕虫フィルムとからなり、この捕虫フィルムは、透明で前記紫外線発光源からの波長が通過する基材と、この基材の前記紫外線発光源側に設け且つ前記紫外線発光源からの紫外線により蛍光発色する蛍光体層と、前記基材の外側に設け、且つ蛍光が通過する粘着層とから形成し、この粘着層で捕虫することを特徴とする捕虫器。
【請求項２】
前記粘着層は前記基材に剥離可能に設けたことを特徴とする請求項１記載の捕虫器。
【発明の詳細な説明】
【０００１】
【発明の属する技術分野】
本発明は捕虫器、詳しくは紫外線発光源を用いて害虫を捕獲するための捕虫器に関するものである。
【０００２】
【従来の技術】
従来、捕虫器としては、特開平8‐33444号記載のものが知られており、かかる捕虫器は、断面二等辺三角形状で、その底面には開口を形成し、断面二等辺三角形状の等辺に相当する面の内面に、捕虫する為の蛍光性粘着シートが設けられ、更に、三角柱状の長方形状の内部中央に、所定の紫外線波長を出すランプが縦方向に設けられている。
【０００３】
かかる捕虫器では、ランプを点灯すると、捕虫器の底面の開口から害虫が内部に飛び込み集まり、ランプからの紫外線によって蛍光性粘着シートが蛍光発色するので、内部に集まった害虫は蛍光性粘着シートに寄って行き、蛍光性粘着シートで捕獲される。
害虫が蛍光性粘着シートにより捕獲された後、捕虫器内部の蛍光性粘着シートを取り外し交換する事により、新たな蛍光性粘着シートにより捕獲される。
【０００４】
【発明が解決しようとする課題】
この様な捕虫器にあっては、害虫が蛍光性粘着シートにより捕獲された後、捕虫器内部の蛍光性粘着シートを取り外すことにより、蛍光性粘着シートを交換しているので、狭い捕虫器内部での蛍光性粘着シートの交換作業がしずらい。
【０００５】
また、捕虫器内部に蛍光性粘着シートが設けられているので、蛍光性粘着シートにより害虫が捕獲されたか見る際、狭い捕虫器内部を覗き込まなければならず、害虫捕獲状況の確認作業が不便だった。
【０００６】
その上、捕虫器の内部にランプと蛍光性粘着シートが設けられているので、内部に集まった害虫により、ランプに害虫が付着して汚れ、その為ランプの性能が低下する虞もある。
【０００７】
本発明は係る点に鑑みなされたもので、蛍光性粘着シートの交換がし易く、しかも、簡単に害虫捕獲状況の確認作業ができ、ランプの性能を維持できる捕虫器を提供する事を目的とする。
【０００８】
【課題を解決するための手段】
かかる目的を達成するため、本発明に係る捕虫器は、紫外線発光源を内部に設けた枠体と、この枠体の外面を被覆する捕虫フィルムとからなり、この捕虫フィルムは、透明で前記紫外線発光源からの波長が通過する基材と、この基材の前記紫外線発光源側に設け且つ前記紫外線発光源からの紫外線により蛍光発色する蛍光体層と、前記基材の外側に設け、且つ蛍光が通過する粘着層とから形成し、この粘着層で捕虫することを特徴とするものである。
【０００９】
かかる捕虫器は、枠体内の紫外線発光源からの紫外線により、基材の紫外線発光源側に設けた蛍光体層が紫外線により蛍光発色し、それにより、透明で前記紫外線発光源からの波長が通過する基材の外側に設けた粘着層に害虫が飛んできて、害虫が粘着層に触れて捕獲する事ができる。
【００１０】
また、粘着層は前記基材に剥離可能に設けることが好ましく、害虫を捕獲した粘着層を交換する事ができ、経済的な捕虫フィルムの使用ができる。
【００１１】
【発明の実施の態様】
【００１２】
本発明にかかる一実施例を図1乃至図3に基づき説明する。
本発明にかかる捕虫器は、図1に示す様に、紫外線発光源１を内部に設けた枠体２と、この枠体２の外面を被覆する捕虫フィルム３とからなり、この捕虫フィルム３は、透明で前記紫外線発光源１からの波長が通過する基材４と、この基材４の前記紫外線発光源側に設け且つ前記紫外線発光源１からの紫外線により蛍光発色する蛍光体層５と、前記基材４の外側に設け、且つ蛍光が通過する粘着層６とから形成し、この粘着層６で捕虫するものである。
【００１３】
枠体２は、左右に円形状からなる円盤部２ａ、２ａと、この円盤部２ａ、２ａ間を連接する連接部２ｂ、２ｂと、円盤部２ａ、２ａの内側で紫外線発光源であるランプ１を保持する保持板２ｃ、２ｃとからなる。
【００１４】
円盤部２ａは、その周面に捕虫フィルム３を取り付けるための取り付け用面部２ｄが形成される。
【００１５】
連接部２ｂ、２ｂは、円盤部２ａ、２ａの取り付け用面部２ｄが面一となるべく、円盤部２ａの内面側に連接部２ｂ、２ｂの両端が固定して設けられる。
更に、連接部２ｂ、２ｂは、円盤部２ａ、２ａの取り付け用面部２ｄの湾曲形状と同様に湾曲して形成される。
この連接部２ｂ、２ｂは、円盤部２ａ、２ａ間の連結を強化するために設けられており、本実施例では円盤部２ａ、２ａ間の上下に２本設けているが、上だけ、若しくは下だけの１本だけでも良く、複数本の細線で円盤部２ａ、２ａ間を連結しても良い。
【００１６】
そして、ランプ１は、円盤部２ａ、２ａ間の中央に位置すべく保持板２ｃ、２ｃ間に保持され、ランプ１の点灯用スイッチ（図示せず）により、所定の紫外線波長を照出すべく設けられる。
ランプ１は、例えば、２５４ｎｍの波長を照出するブラックライトを使用する。
このランプ１は、ランプ１から枠体２の外面を被覆する捕虫フィルム３までの距離が同一となるべく、円盤部２ａ、２ａ間の中央に位置している。
【００１７】
次に、捕虫フィルム３につき説明する。
この捕虫フィルム３は、ランプ１からの波長が通過する透明な基材４と、この基材４のランプ１側に設け、且つランプ１からの紫外線により蛍光発色する蛍光体層５と、基材４の外側に設けた粘着層６との３層からなる。
【００１８】
基材４は、ランプ１からの波長が通過する透明なものであれば、特に材質は問わない。
【００１９】
蛍光体層５は、基材４のランプ１側に塗布され、ランプ１からの紫外線により蛍光発色する素材で、本実施例では、ランプ１からの紫外線により３６５ｎｍの波長を照出する蛍光体からなる。
蛍光体層５は、基材４のランプ１側に塗布されている場合につき述べたが、蛍光体層５をシート状にし、そのシート状の蛍光体層５を基材４に固定しても良い。
【００２０】
次に粘着層６につき説明する。この粘着層６は、基材４の外側に直接形成し、害虫を捕獲する事ができる粘着性を有している。
粘着層６は、上記の様に基材４の外側に直接形成しても良く、又、粘着層６をシート状にし、そのシート状の粘着層６を基材４に剥離可能に接着しても良い。
シート状の粘着層６を基材４に剥離可能に接着した場合には、粘着層６での害虫捕獲が終わると、粘着層６だけを交換する事ができ、粘着層６の交換作業だけで、再度、害虫捕獲ができる。
又、粘着層６は蛍光が通過する層からなることが好ましい。蛍光体層５の蛍光発色が遮断されない様にする為である。
【００２１】
又、粘着層６は基材４の外側に一様に形成しているが、基材４に網目状、まだら状、複数の細線状等にすることもできる。
すなわち、基材４には粘着層６と粘着層６の無い部分とが形成されることとなる。
かかる場合には、蛍光体層５の蛍光発色が一層照出し、害虫の誘引効果が向上する。
【００２２】
この様に形成された捕虫フィルム３は、円盤部２ａ、２ａの取り付け用面部２ｄ、２ｄに沿って、捕虫フィルム３の両端部３ａ、３ａが円盤部２ａ、２ａの取り付け用面部２ｄ、２ｄに固定される。
円盤部２ａ、２ａ間を連接する連接部２ｂ、２ｂは、円盤部２ａ、２ａの取り付け用面部２ｄの湾曲形状と同様に湾曲して形成されているので、捕虫フィルム３の両端部３ａ、３ａを円盤部２ａ、２ａの取り付け用面部２ｄ、２ｄに固定する際、円盤部２ａ、２ａの取り付け用面部２ｄと連接部２ｂ、２ｂに沿うようにすれば捕虫フィルム３の位置合わせが簡単で、捕虫フィルム３の円盤部２ａ、２ａの取り付け用面部２ｄ、２ｄへの固定作業を容易に行える。
【００２３】
かかる捕虫器では、図４に示す様に、ランプ１の点灯用スイッチ（図示せず）をＯＮさせ、ランプ１を点灯させる。
すると、ランプ１から紫外線が発光し、それにより、捕虫フィルム３のランプ１側の蛍光体層５がランプ１から紫外線により励起して蛍光発色する。
その為、害虫は蛍光発色している蛍光体層５に向かって寄って行き、捕虫フィルム３の粘着層６に触れて捕獲される事となる。
【００２４】
ランプ１は円盤部２ａ、２ａ間の中央に位置しているので、捕虫フィルム３の蛍光体層５にはどの部分にも均一に照出される。
その為、蛍光体層５は均一に発光し、害虫が粘着層６で均一に捕獲できる。
【００２５】
ランプ１は、枠体２の円盤部２ａ、２ａと捕虫フィルム３により覆われ、枠体２内部に位置しているので、害虫捕獲の際、害虫により汚損することがなく、紫外線発色性能が劣化することなく、紫外線発色性能を維持する事ができる。
【００２６】
捕虫フィルム３の粘着層６は外側に位置しているので、害虫捕獲状況を容易に見ることができる。
【００２７】
図５に示す様に、捕虫フィルム３の粘着層６をシート状とし、シート状の粘着層６を基材４に剥離可能に接着した場合には、粘着層６での害虫捕獲が終わると、粘着層６だけを交換する事ができ、粘着層６の交換作業だけで、再度、害虫捕獲ができる。
【００２８】
又、図５、６に示す様に、捕虫フィルム３の粘着層６をシート状として複数層とすれば、害虫捕獲後、シート状の粘着層６を１枚ずつ剥離するだけで、新しい粘着層６により害虫を捕獲する事ができる。
【００２９】
この捕虫器は、害虫が侵入可能な網目模様の膜で覆えば、捕虫フィルム３の粘着層６に人が接触しないので、好ましい。
【００３０】
また、上記説明では、捕虫フィルム３を枠体２に固定した場合につき説明したが、捕虫フィルム３を枠体２に取り外し可能に固定する事もできる。
【００３１】
【発明の効果】
本発明に係る捕虫器によれば、紫外線発光源を内部に設けた枠体と、この枠体の外面を被覆する捕虫フィルムとからなり、この捕虫フィルムは、透明で前記紫外線発光源からの波長が通過する基材と、この基材の前記紫外線発光源側に設け且つ前記紫外線発光源からの紫外線により蛍光発色する蛍光体層と、前記基材の外側に設け、且つ蛍光が通過する粘着層とから形成し、この粘着層で捕虫することを特徴とするものであるので、枠体内の紫外線発光源からの紫外線により、基材の紫外線発光源側に設けた蛍光体層が紫外線により蛍光発色し、それにより、透明で前記紫外線発光源からの波長が通過する基材の外側に設けた粘着層に害虫が飛んできて、害虫が粘着層に触れて捕獲する事ができる。
【００３２】
また、粘着層は前記基材に剥離可能に設けることが好ましく、害虫を捕獲した粘着層を交換する事ができ、経済的な捕虫フィルムの使用ができる。。
【図面の簡単な説明】
【図１】本発明にかかる捕虫器の斜視図である。
【図２】図１に示す捕虫器の
【図３】図２に示すＡ部分の部分断面図である。
【図４】図１に示す捕虫器の斜視図である。
【図５】本発明にかかる他の実施例の捕虫器の斜視図である。
【図６】図５に示す捕虫器の部分断面図である。
【符号の説明】
１は紫外線発光源
２は枠体
３は捕虫フィルム
４は基材
５は蛍光体層
６は粘着層
【図１】
0003877593.tif 000002
【図２】
0003877593.tif 000003
【図３】
0003877593.tif 000004
【図４】
0003877593.tif 000005
【図５】
0003877593.tif 000006
【図６】
0003877593.tif 000007